(57)【要約】【課題】大型化を抑制しつつ、ノイズの影響を抑制可能なレンズ装置、撮像装置およびレンズ装置の製造方法を提供すること。【解決手段】レンズ装置は、電子部品が実装されている基板と、基板とレンズユニットを保持する保持部材と、保持部材に固定されている絶縁部材と、絶縁部材に固定されている板金と、絶縁部材を保持部材と挟み込み固定する固定部材と、を有し、絶縁部材は、レンズユニットの光軸方向において基板と板金との間に配置され、板金は、絶縁部材に設けられた位置規定部により位置決めされた状態で絶縁部材に固定されている。【選択図】図８
2020126178.tif 000002
【特許請求の範囲】
【請求項１】
電子部品が実装されている基板と、
前記基板とレンズユニットを保持する保持部材と、
前記保持部材に固定されている絶縁部材と、
前記絶縁部材に固定されている板金と、
前記絶縁部材を前記保持部材と挟み込み固定する固定部材と、を有し、
前記絶縁部材は、前記レンズユニットの光軸方向において前記基板と前記板金との間に配置され、
前記板金は、前記絶縁部材に設けられた位置規定部により位置決めされた状態で前記絶縁部材に固定されていることを特徴とするレンズ装置。
【請求項２】
前記板金を前記基板の側に付勢する弾性部材を更に有することを特徴とする請求項１に記載のレンズ装置。
【請求項３】
前記位置規定部は、穴形状である第１位置規定部を備え、
前記板金は、前記第１位置規定部に合わせるための第１位置決め部を備えることを特徴とする請求項１または２に記載のレンズ装置。
【請求項４】
前記第１位置決め部は、直線形状を有することを特徴とする請求項３に記載のレンズ装置。
【請求項５】
前記第１位置決め部は、穴形状であることを特徴とする請求項３に記載のレンズ装置。
【請求項６】
前記板金は、前記絶縁部材の内径の形状に対応する形状を有することを特徴とする請求項３から５のいずれか１項に記載のレンズ装置。
【請求項７】
前記位置規定部は、前記絶縁部材の内径の一部の領域であって、他の領域とは異なる形状の第２位置規定部を有し、
前記板金は、前記第２位置規定部に合わせるための第２位置決め部を備えることを特徴とする請求項１または２に記載のレンズ装置。
【請求項８】
請求項１から７のいずれか１項に記載のレンズ装置と、
前記レンズ装置を介して形成された光学像を光電変換する撮像素子を保持するカメラ本体と、を有することを特徴とする撮像装置。
【請求項９】
電子部品が実装されている基板と、前記基板とレンズユニットを保持する保持部材と、前記保持部材に固定されている絶縁部材と、前記絶縁部材に固定されている板金と、前記保持部材に取り付けられる固定部材と、を有し、前記レンズユニットの倒し調整が実行されるレンズ装置の製造方法であって、
前記倒し調整における傾き方向を調整するために前記絶縁部材を前記レンズユニットの光軸中心に回転させるステップと、
前記絶縁部材に設けられた位置規定部を用いて前記板金の位置決めを行うステップと、
前記板金を前記絶縁部材に固定するステップと、
前記絶縁部材を前記保持部材と前記固定部材との間に挟み込み固定するステップと、
前記倒し調整を実行するために前記保持部材を前記固定部材に対して傾かせるステップと、を有することを特徴とするレンズ装置の製造方法。
【発明の詳細な説明】
【技術分野】
【０００１】
本発明は、レンズ装置、撮像装置およびレンズ装置の製造方法に関する。
【背景技術】
【０００２】
カメラに固定されるレンズ鏡筒では、ノイズ対策として基板の周囲をシールド部材で覆うことがある。特許文献１には、基板を覆う板金(シールドプレート)を配置した構成が開示されている。また、レンズ鏡筒によっては、カメラの保持している撮像素子に対するレンズ鏡筒の傾きを調整する必要がある。その場合、レンズ鏡筒の傾きは調整機構を用いて調整され、傾き方向は傾き方向変更部材を光軸中心に回転させることで変更される。
【先行技術文献】
【特許文献】
【０００３】
【特許文献１】特開２０１８−１７３４３４号公報
【発明の概要】
【発明が解決しようとする課題】
【０００４】
しかしながら、特許文献１に開示された構成では、板金と基板端子部等が接触してショートしないようにするためには、板金を基板から離す必要があり、装置が大型化する可能性がある。
【０００５】
基板のノイズ発生源近くに適正な大きさの板金を配置すれば、ノイズの影響を抑制しつつ、装置を小型化できる。傾き方向変更部材が基板近くに配置されている場合、傾き方向変更部材に板金を固定することがノイズ発生源近くに板金を配置することになる。しかしながら、傾き方向変更部材は光軸中心に回転するため、回転しない基板近くに常に板金を配置することは難しい。
【０００６】
本発明は、大型化を抑制しつつ、ノイズの影響を抑制可能なレンズ装置、撮像装置およびレンズ装置の製造方法を提供することを目的とする。
【課題を解決するための手段】
【０００７】
本発明の一側面としてのレンズ装置は、電子部品が実装されている基板と、基板とレンズユニットを保持する保持部材と、保持部材に固定されている絶縁部材と、絶縁部材に固定されている板金と、絶縁部材を保持部材と挟み込み固定する固定部材と、を有し、絶縁部材は、レンズユニットの光軸方向において基板と板金との間に配置され、板金は、絶縁部材に設けられた位置規定部により位置決めされた状態で絶縁部材に固定されていることを特徴とする。
【０００８】
本発明の他の側面としてのレンズ装置の製造方法は、電子部品が実装されている基板と、基板とレンズユニットを保持する保持部材と、保持部材に固定されている絶縁部材と、絶縁部材に固定されている板金と、保持部材に取り付けられる固定部材と、を有し、レンズユニットの倒し調整が実行されるレンズ装置の製造方法であって、倒し調整における傾き方向を調整するために絶縁部材をレンズユニットの光軸中心に回転させるステップと、絶縁部材に設けられた位置規定部を用いて板金の位置決めを行うステップと、板金を絶縁部材に固定するステップと、絶縁部材を保持部材と固定部材との間に挟み込み固定するステップと、倒し調整を実行するために保持部材を固定部材に対して傾かせるステップと、を有することを特徴とする。
【発明の効果】
【０００９】
本発明によれば、大型化を抑制しつつ、ノイズの影響を抑制可能なレンズ装置、撮像装置およびレンズ装置の製造方法を提供することができる。
【図面の簡単な説明】
【００１０】
【図１】実施例１のレンズ鏡筒の断面図である。
【図２】実施例１のレンズ鏡筒に保持されるレンズの断面図である。
【図３】実施例１のレンズ鏡筒の断面の一部を拡大した図である。
【図４】実施例１のレンズ鏡筒の背面図である。
【図５】実施例１のレンズ鏡筒の背面図である。
【図６】実施例１のレンズ鏡筒の背面図である。
【図７】実施例１のレンズ鏡筒の背面図である。
【図８】実施例１の絶縁部材と板金の背面図である。
【図９】実施例１の固定筒の前面図である。
【図１０】実施例１のレンズ鏡筒の製造方法を示すフローチャートである。
【図１１】実施例２のレンズ鏡筒の背面図である。
【図１２】実施例２のレンズ鏡筒の背面図である。
【図１３】実施例２の絶縁部材と板金の背面図である。
【図１４】実施例３のレンズ鏡筒を有する撮像装置の概略図である。
【発明を実施するための形態】
【００１１】
以下、本発明の実施例について、図面を参照しながら詳細に説明する。各図において、同一の部材については同一の参照番号を付し、重複する説明は省略する。
【実施例１】
【００１２】
図１は、本実施例のレンズ鏡筒（レンズ装置）１００の断面図である。図２は、レンズ鏡筒１００に保持されるレンズの断面図である。
【００１３】
レンズ鏡筒１００は、撮像素子を保持しているカメラ本体（不図示）に交換可能に取り付けられている。レンズ鏡筒１００は、第１レンズ群（第１レンズユニット）Ｌ１、第２レンズ群（第２レンズユニット）Ｌ２および第３レンズ群（第３レンズユニット）Ｌ３を保持する。第２レンズ群Ｌ２は、レンズ鏡筒１００の光軸に沿って移動するフォーカス群である。第３レンズ群Ｌ３は、最もマウント側のレンズＧＦを含んでいる。
【００１４】
レンズ鏡筒１００は、少なくとも１つのレンズ群を備えていればよい。また、レンズ群（レンズユニット）は複数のレンズの集合であっても１枚のレンズであってもよい。レンズ群が複数存在する場合には、フォーカシングあるいはズーミングの際に変化するレンズ間隔を各レンズ群間の境界とする。
【００１５】
第１レンズ保持枠１は、案内筒５の先端にビスで固定され、第１レンズ群Ｌ１を保持している。第２レンズ保持枠２は、案内筒５の外周側に保持されたカム環４によりコロでつられ、第２レンズ群Ｌ２を保持している。絞り装置６は、第２レンズ保持枠２に固定されている。絞り装置６は、駆動源であるモーターを備え、モーターを駆動制御することで内蔵する絞り羽根の開口面積を変化させて光量を調節する。第３レンズ保持枠３は、案内筒５にビスで固定され、第３レンズ群Ｌ３を保持している。
【００１６】
案内筒５は、保持部材１１にビスで固定されている。基板７は、保持部材１１にビスで固定されている。基板７には、電子部品が実装されている。基板７に実装された電子部品は、絞り装置６などと電気的に接続されており、基板７に搭載されたマイクロコンピュータによって各種駆動制御を行う。また、基板７には、カメラ本体との通信や電源供給を受けるために、マウント８にビス止めされた接点部材９がフレキシブルプリント基板を介して接続されている。マウント８は、カメラ本体に取り付けるためのマウントであり、固定筒（固定部材）１２を介して、保持部材１１にビスで固定されている。マウント８の外周にはカメラ本体とバヨネット結合する爪部が設けられており、マウント８はカメラ本体とバヨネット結合する。また、マウント８には、裏蓋１０が周方向からビスで固定されている。接点部材９は、マウント８の内周に配置されており、マウント８がカメラ本体とバヨネット結合すると、カメラ本体に設けられた接点部材と電気的に接続される。これにより、レンズ鏡筒１００はカメラ本体と通信することができる。
【００１７】
図３は、レンズ鏡筒１００の断面の一部を拡大した図である。図４は、マウント８を外した状態のレンズ鏡筒１００の背面図である。図５は、図４の状態から固定筒１２および弾性部材１５を外した状態のレンズ鏡筒１００の背面図である。図６は、図５の状態から絶縁部材１３および板金１４を外した状態のレンズ鏡筒１００の背面図である。図７は、図６の状態から基板７を外した状態のレンズ鏡筒１００の背面図である。図８は、絶縁部材１３と板金１４の背面図である。図９は、固定筒１２の前面図である。
【００１８】
基板７は、位置決め穴７ａ，７ｂを有する。保持部材１１は、凸形状の位置決め部１１ａ，１１ｂを有する。固定筒１２は、位置決め穴１２ａ，１２ｂを有する。位置決め部１１ａ，１１ｂがそれぞれ位置決め穴７ａ，７ｂに嵌まることで、基板７は位置決めされる。また、位置決め部１１ａ，１１ｂがそれぞれ位置決め穴１２ａ，１２ｂに嵌まることで、固定筒１２は位置決めされる。
【００１９】
保持部材１１は、４つの固定部１１ｃを有する。固定筒１２は、４つの固定部１２ｃを有する。絶縁部材１３は、２つの挟み込み部１３ａを有する。絶縁部材１３は、挟み込み部１３ａが固定部１１ｃと固定部１２ｃとの間に挟み込まれるように固定されている。固定部１１ｃ，１２ｃと挟み込み部１３ａの数は異なるので、固定部１１ｃ，１２ｃが挟み込み部１３ａを挟み込んでいる箇所と固定部１１ｃ，１２ｃが挟み込み部１３ａを挟み込んでいない箇所が存在する。挟み込み部１３ａを挟み込んでいる固定部１１ｃ，１２ｃの間の光軸方向の距離は、挟み込み部１３ａを挟み込んでいない固定部１１ｃ，１２ｃの間の光軸方向の距離に比べて長い。この長さの差により、保持部材１１を固定筒１２に対して傾かせることができる。傾き方向を変更させる場合、絶縁部材１３を光軸中心に所定角度だけ回転させて、固定部１１ｃ，１２ｃにより挟み込み部１３ａを挟み込む箇所を変更させればよい。絶縁部材１３の内径１３ｃが第３レンズ保持枠３の外径に嵌まることで、絶縁部材１３は光軸中心に回転可能である。
【００２０】
絶縁部材１３は、位置決め部１１ａが嵌まる位置決め穴（位置規定部）１３ｂを有する。位置決め部１１ａが位置決め穴１３ｂに嵌まることで、絶縁部材１３の回転を規制する。これにより、傾き方向を変更させるために絶縁部材１３を光軸中心に所定角度だけ回転させた場合でも、保持部材１１と絶縁部材１３の位置を決めることができる。
【００２１】
板金１４は、絶縁部材１３に両面テープにより固定され、基板７から発生するノイズを防止する。板金１４は、直線形状を含む位置決め部（第１位置決め部）１４ａを有する。位置決め穴１３ｂと位置決め部１４ａのエッジを合わせるとともに、絶縁部材１３の内径（位置規定部）１３ｃと板金１４のＲ部１４ｂを合わせることで、板金１４の絶縁部材１３に対する位置が決められる。これにより、絶縁部材１３が光軸中心に回転した後でも板金１４を基板７の例えばπ型フィルタ等のコイル等のノイズ発生源７ｃ付近（図６の黒丸部）に常に固定することができる。すなわち、基板７を板金１４で覆うなど、大型化することなく、傾き方向を変更するための部材である絶縁部材１３を回転させた場合でも、板金１４を基板７のノイズ発生源７ｃ付近に常に配置することができる。
【００２２】
なお、本実施例では、位置決め穴１３ｂと内径１３ｃを用いて板金１４の絶縁部材１３に対する位置を決めているが、本発明はこれに限定されない。内径１３ｃの一部の領域を他の領域とは異なる形状の第２位置規定部、Ｒ部１４ｂの一部を第２位置規定部に対応する形状の第２位置決め部とし、これらの形状を合わせることによって板金１４の絶縁部材１３に対する位置を決めてもよい。
【００２３】
また、絶縁部材１３は、光軸方向において基板７と板金１４との間に配置されている。これにより、板金１４が基板７に設けられている素子の端子などと導通してショートすることを防止することができる。
【００２４】
また、弾性部材１５は、固定筒１２と板金１４との間に設けられ、板金１４を基板７の側に板金１４を付勢する。これにより、板金１４を更に基板７のノイズ発生源７ｃに近づかせることができるため、ノイズの影響を防止する効果をより高めることができる。なお、弾性部材１５は、固定筒１２または絶縁部材１３のいずれかに固定されていればよい。
【００２５】
以下、図１０を参照して、本実施例のレンズ鏡筒１００の製造方法について説明する。図１０は、本実施例のレンズ鏡筒１００の製造方法を示すフローチャートである。
【００２６】
ステップＳ１０１では、倒し調整の傾き方向の調整が必要であるかどうかが判定される。傾き方向の調整が必要である場合、ステップＳ１０２に進み、必要でない場合、ステップＳ１０３に進む。
【００２７】
ステップＳ１０２では、倒し調整の傾き方向を変更するために絶縁部材１３を光軸中心に回転させる。
【００２８】
ステップＳ１０３では、位置決め穴１３ｂと位置決め部１４ａのエッジを合わせるとともに、絶縁部材１３の内径１３ｃと板金１４のＲ部１４ｂを合わせることで、板金１４の絶縁部材１３に対する位置が決められる。
【００２９】
ステップＳ１０４では、板金１４がステップＳ１０３で決められた位置で絶縁部材１３に固定される。
【００３０】
ステップＳ１０５では、絶縁部材１３が保持部材１１と固定筒１２との間に挟み込み固定されるように、固定筒１２が保持部材１１に取り付けられる。
【００３１】
ステップＳ１０６では、保持部材１１を固定筒１２に対して傾かせることで、倒し調整が実行される。
【００３２】
以上説明したように、本実施例の構成により、大型化させることなく、ノイズの影響を抑制可能なレンズ鏡筒を提供することができる。
【実施例２】
【００３３】
図１１は、マウント８、固定筒１２、弾性部材１５、絶縁部材１３および板金１４を外した状態のレンズ鏡筒１００の背面図である。図１２は、図１１の状態から基板７を外した状態のレンズ鏡筒１００の背面図である。図１３は、絶縁部材１３と板金１４の背面図である。なお、本実施例では、実施例１と異なる部分についてのみ説明を行い、その他の同一部分については同一の符号をつけ、説明を省略する。
【００３４】
本実施例では、板金１４の位置決め部１４ａが穴形状となっており、絶縁部材１３の位置決め穴１３ｂと位置を合わせるとともに、絶縁部材１３の内径１３ｃと板金１４のＲ部１４ｂを合わせることで、板金１４の絶縁部材１３に対する位置が決められる。また、保持部材１１の位置決め部１１ａが位置決め穴１３ｂと位置決め部１４ａに挿入されることで絶縁部材１３が位置決めされる。
【実施例３】
【００３５】
図１４は、実施例１または実施例２のレンズ鏡筒１００を備える撮像装置ＩＡの概略図である。レンズ鏡筒１００は、撮像光学系ＩＯＳを保持する。カメラ本体ＣＢは、撮像素子ＩＥを保持する。撮像素子ＩＥは、レンズ鏡筒１００を介して形成された光学像を光電変換する。レンズ鏡筒１００は、カメラ本体ＣＢと一体的に構成されていてもよいし、カメラ本体ＣＢに着脱可能に取り付けられるように構成されていてもよい。また、レンズ鏡筒１００が撮像素子ＩＥを保持していてもよい。
【００３６】
以上、本発明の好ましい実施形態について説明したが、本発明はこれらの実施形態に限定されず、その要旨の範囲内で種々の変形及び変更が可能である。
【符号の説明】
【００３７】
７      基板
１１    保持部材
１２    固定筒（固定部材）
１３    絶縁部材
１３ｂ  位置決め部（位置規定部）
１３ｃ  内径（位置規定部）
１００  レンズ鏡筒（レンズ装置）
１４    板金
Ｌ１    第１レンズ群（レンズユニット）
Ｌ２    第２レンズ群（レンズユニット）
Ｌ３    第３レンズ群（レンズユニット）
【図１】
2020126178.tif 000003
【図２】
2020126178.tif 000004
【図３】
2020126178.tif 000005
【図４】
2020126178.tif 000006
【図５】
2020126178.tif 000007
【図６】
2020126178.tif 000008
【図７】
2020126178.tif 000009
【図８】
2020126178.tif 000010
【図９】
2020126178.tif 000011
【図１０】
2020126178.tif 000012
【図１１】
2020126178.tif 000013
【図１２】
2020126178.tif 000014
【図１３】
2020126178.tif 000015
【図１４】
2020126178.tif 000016